【事件の表示】
　特許第３０７８０３２号「カメラ」の請求項１に係る特許に対する特許異議の申立てについて、次のとおり決定する。
【結　論】
　訂正を認める。
　特許第３０７８０３２号の請求項１に係る特許を維持する。
【理　由】
（１）手続の経緯
　特許第３０７８０３２号の請求項１に係る発明は、平成３年５月２７日に特許出願され、平成１２年６月１６日にその特許の設定登録がなされ、その後異議申立人村田博により特許異議の申立がなされ、取消理由通知がなされ、その指定期間内である平成１３年６月２２日に訂正請求がなされたものである。
　
（２）訂正の適否についての判断
　（ア）訂正の内容
訂正事項ａ
　特許請求の範囲の請求項１を、次のように訂正する。
「【請求項１】　被写体像を光電変換して撮像信号を出力するイメージャと、
　上記イメージャの前面側に固定された光学部材と、
　上記イメージャに被写体像を結像させるための複数のレンズ群であって、上記イメージャの最も近くに設けられた第１のレンズ群及び該第１のレンズ群より前側に設けられた第２のレンズ群と、
　上記各レンズ群を、その光軸方向に沿ってガイドするための複数のガイドメンバーと、
　上記第１及び第２のレンズ群を保持し、上記複数のガイドメンバーのうちの所定のガイドメンバーに対して移動可能に嵌合される嵌合部を有する第１のレンズ群用レンズ枠及び第２のレンズ群用レンズ枠と、
　を具備し、上記第２のレンズ群用レンズ枠の嵌合部が、上記ガイドメンバーに沿って上記第１のレンズ群の側面部分に進入可能であると共に、上記第１のレンズ群用レンズ枠の嵌合部が、上記ガイドメンバーに沿って上記光学部材の側面部分に進入可能なように構成されたことを特徴とするカメラ。」　
　
訂正事項ｂ
　明細書の段落【０００８】を、次のように訂正する。
「【０００８】
【課題を解決するための手段】
　本発明によるカメラは、被写体像を光電変換して撮像信号を出力するイメージャと、上記イメージャの前面側に固定された光学部材と、上記イメージャに被写体像を結像させるための複数のレンズ群であって、上記イメージャの最も近くに設けられた第１のレンズ群及び該第１のレンズ群より前側に設けられた第２のレンズ群と、上記各レンズ群を、その光軸方向に沿ってガイドするための複数のガイドメンバーと、上記第１及び第２のレンズ群を保持し、上記複数のガイドメンバーのうちの所定のガイドメンバーに対して移動可能に嵌合される嵌合部を有する第１のレンズ群用レンズ枠及び第２のレンズ群用レンズ枠と、を具備し、上記第２のレンズ群用レンズ枠の嵌合部が、上記ガイドメンバーに沿って上記第１のレンズ群の側面部分に進入可能であると共に、上記第１のレンズ群用レンズ枠の嵌合部が、上記ガイドメンバーに沿って上記光学部材の側面部分に進入可能なように構成されたことを特徴とするものである。」
　
訂正事項ｃ
　発明の名称を「カメラ」と訂正する。
　
　（イ）訂正の目的の適否、新規事項の有無及び拡張・変更の存否
　訂正事項ａに係る訂正は、特許請求の範囲の減縮に該当し、実質的に特許請求の範囲を拡張又は変更するものではないし、新規事項の追加にも該当しない。
　
　訂正事項ｂ及びｃに係る訂正は、明瞭でない記載の釈明に該当し、実質的に特許請求の範囲を拡張又は変更するものではないし、新規事項の追加にも該当しない。
　
　（ウ）むすび
　以上のとおりであるから、上記訂正は特許法等の一部を改正する法律（平成６年法律第１１６号）（以下「平成６年改正法」という。）附則第６条第１項の規定によりなお従前の例によるとされる、特許法第１２０条の４第３項において準用する平成６年改正法による改正前の特許法第１２６条第１項ただし書及び第２項の規定に適合するので、当該訂正を認める。
　
（３）特許異議の申立について
　（ア）申立の理由の概要
　申立人村田博は、証拠として甲第１号証〔特願平２−２０８６０２号（特開平４−９３９０７号公報参照）〕、及び参考資料１（特開昭６０−２０６３７７号公報）、参考資料２（特開昭６０−２０７１０７号公報）を提出し、本件請求項１に係る発明の特許は、その出願の日前の出願であって、その出願後に出願公開された上記甲第１号証（特願平２−２０８６０２号）の願書に最初に添付した明細書又は図面に記載された発明と同一であると認められ、しかも、請求項１に係る発明の発明者が甲第１号証（特願平２−２０８６０２号）に記載された発明の発明者と同一であるとも、この出願の時において、その出願人が上記他の出願の出願人と同一であるとも認められないので、請求項１に係る発明の特許は特許法第２９条の２第１項の規定に違反してなされたものであるので、本件請求項１に係る発明の特許を取り消すべき旨主張している。
　
　（イ）本件請求項１に係る発明
　上記「（２）訂正の適否についての判断」で示したように上記訂正が認められるから、本件請求項１に係る発明（以下、「本件発明」という。）は、上記訂正請求に係る訂正明細書の特許請求の範囲の請求項１に記載された事項により特定される次のとおりのものである。
「【請求項１】　被写体像を光電変換して撮像信号を出力するイメージャと、
　上記イメージャの前面側に固定された光学部材と、
　上記イメージャに被写体像を結像させるための複数のレンズ群であって、上記イメージャの最も近くに設けられた第１のレンズ群及び該第１のレンズ群より前側に設けられた第２のレンズ群と、
　上記各レンズ群を、その光軸方向に沿ってガイドするための複数のガイドメンバーと、
　上記第１及び第２のレンズ群を保持し、上記複数のガイドメンバーのうちの所定のガイドメンバーに対して移動可能に嵌合される嵌合部を有する第１のレンズ群用レンズ枠及び第２のレンズ群用レンズ枠と、
　を具備し、上記第２のレンズ群用レンズ枠の嵌合部が、上記ガイドメンバーに沿って上記第１のレンズ群の側面部分に進入可能であると共に、上記第１のレンズ群用レンズ枠の嵌合部が、上記ガイドメンバーに沿って上記光学部材の側面部分に進入可能なように構成されたことを特徴とするカメラ。」　
　
　（ウ）引用例
　本件発明に対して、当審が平成１３年４月１７日付で通知した取消理由で引用した特願平２−２０８６０２号（甲第１号証）には、
「ビデオカメラ」（第１頁右欄第１９行）
　
「カメラ一体型ＶＴＲ」（第２頁左上欄第１２行）
　
「第２のレンズ群３２の移動および物体の移動によって変動する像面を基準面から一定の位置に保つように光軸上を移動する第４のレンズ群３４から成る。」（第３頁左上欄第１〜４行）
　
「ガイドポール３７には第２のレンズ群３２を保持する第２のレンズ枠７４の軸受部７５ａ，７５ｂが光軸方向に移動可能に挿入されている。同様に第４のレンズ群３４を保持する第４のレンズ枠３８の軸受３９ａ，３９ｂが光軸方向に移動可能に挿入されている。またガイドポール７６には第２のレンズ枠７４に設けた切欠溝部７４ａが係合し、第２のレンズ枠７４を光軸上に保持している。またガイドポール４０にはレンズ枠３８に設けた切欠溝部３８ａが係合し、レンズ枠３８を光軸上に保持している。」（第３頁左上欄第６〜１６行）が記載されている。
　
　なお、参考資料１及び２には、イメージャの前方には水晶等からなるフィルタとしての光学部材が配置される点、が記載されている。
　
　（エ）対比・判断
　本件発明と上記特願平２−２０８６０２号（甲第１号証）に記載の発明とを対比すると、特願平２−２０８６０２号（甲第１号証）に記載の発明は、本件発明を特定する事項である「第２のレンズ群用レンズ枠の嵌合部が、ガイドメンバーに沿って第１のレンズ群の側面部分に進入可能である」点を備えておらず、この点が自明または技術常識であるとは認められないから、本件発明が、その出願の日前の出願であって、その出願後に出願公開された上記特願平２−２０８６０２号（甲第１号証）の願書に最初に添付した明細書又は図面に記載された発明と同一であるとは認められない。
　
　（オ）むすび
　以上のとおりであるから、特許異議の申立の理由及び証拠によっては、本件請求項１に係る発明についての特許を取り消すことはできない。
　また、他に本件請求項１に係る発明についての特許を取り消すべき理由を発見しない。
　したがって、本件請求項１に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年７月５日（２００１．７．５）
【訂正の要旨】
　（訂正の要旨）
訂正事項ａ
　特許請求の範囲の請求項１を、次のように訂正する。
「【請求項１】　被写体像を光電変換して撮像信号を出力するイメージャと、
　上記イメージャの前面側に固定された光学部材と、
　上記イメージャに被写体像を結像させるための複数のレンズ群であって、上記イメージャの最も近くに設けられた第１のレンズ群及び該第１のレンズ群より前側に設けられた第２のレンズ群と、
　上記各レンズ群を、その光軸方向に沿ってガイドするための複数のガイドメンバーと、
　上記第１及び第２のレンズ群を保持し、上記複数のガイドメンバーのうちの所定のガイドメンバーに対して移動可能に嵌合される嵌合部を有する第１のレンズ群用レンズ枠及び第２のレンズ群用レンズ枠と、
　を具備し、上記第２のレンズ群用レンズ枠の嵌合部が、上記ガイドメンバーに沿って上記第１のレンズ群の側面部分に進入可能であると共に、上記第１のレンズ群用レンズ枠の嵌合部が、上記ガイドメンバーに沿って上記光学部材の側面部分に進入可能なように構成されたことを特徴とするカメラ。」
訂正事項ｂ
　明細書の段落【０００８】を、次のように訂正する。
「【０００８】
　【課題を解決するための手段】
　本発明によるカメラは、被写体像を光電変換して撮像信号を出力するイメージャと、上記イメージャの前面側に固定された光学部材と、上記イメージャに被写体像を結像させるための複数のレンズ群であって、上記イメージャの最も近くに設けられた第１のレンズ群及び該第１のレンズ群より前側に設けられた第２のレンズ群と、上記各レンズ群を、その光軸方向に沿ってガイドするための複数のガイドメンバーと、上記第１及び第２のレンズ群を保持し、上記複数のガイドメンバーのうちの所定のガイドメンバーに対して移動可能に嵌合される嵌合部を有する第１のレンズ群用レンズ枠及び第２のレンズ群用レンズ枠と、を具備し、上記第２のレンズ群用レンズ枠の嵌合部が、上記ガイドメンバーに沿って上記第１のレンズ群の側面部分に進入可能であると共に、上記第１のレンズ群用レンズ枠の嵌合部が、上記ガイドメンバーに沿って上記光学部材の側面部分に進入可能なように構成されたことを特徴とするものである。」
訂正事項ｃ
　発明の名称を「カメラ」と訂正する。
（５４）【発明の名称】
カメラ
（５７）【特許請求の範囲】
　【請求項１】　被写体像を光電変換して撮像信号を出力するイメージャと、
　上記イメージャの前面側に固定された光学部材と、
　上記イメージャに被写体像を結像させるための
複数の
であって、上記イメージャの最も近くに設けられた第１のレンズ群及び該第１のレンズ群より前側に設けられた第２のレンズ群
　上記
各
　上記
第１及び第２の
第１のレンズ群用レンズ枠及び第２のレンズ群用
　を具備し、
上記第２のレンズ群用レンズ枠の嵌合部が、上記ガイドメンバーに沿って上記第１のレンズ群の側面部分に進入可能であると共に、
第１のレンズ群用
【発明の詳細な説明】
　【０００１】
　【産業上の利用分野】
　本発明は、カメラ、詳しくは、ガイドメンバーに沿って移動可能なレンズ群を有するカメラに関するものである。
　【０００２】
　【従来の技術】
　近年、普及が著しい固体撮像素子のイメ−ジャを用いたビデオカメラ、あるいは、スチルカメラに対する鏡筒構造に関して、コンパクト化、高精度化等を可能とするものが、数多く提案されている。例えば、図４は、従来のカメラのイメ−ジャを装着するレンズ鏡筒の一例を示す縦断面図であって、このレンズ鏡筒は、主に第１，２群レンズユニット部と、絞りユニット部と、第３，４群レンズユニット部と、イメ−ジャユニット部で構成されている。
　【０００３】
　第１，２群レンズユニット部は、支持枠５１と、支持枠５１に固着される第１群レンズ５２と、摺動自在にガイドされる第２群レンズ５３とで構成される。なお、第２群レンズ５３は移動枠５５に保持され、その移動枠５５が支持枠５１に支持されているガイド軸５４に摺動自在にガイド支持されている。また、絞りユニット部は、絞り支持枠５６で支持される絞り５７より構成される。また、第３，４群レンズユニット部は、支持枠５８に固着される第３群レンズ５９と、摺動自在にガイドされる第４群レンズ６０とで構成される。なお、第４群レンズ６０は移動枠６２に保持され、その移動枠６２が支持枠５８に支持されているガイド軸６１に摺動自在にガイド支持されている。また更に、イメ−ジャユニット部は、イメ−ジャ６５、および、光学的ＬＰＦ（ｌｏｗ　ｐａｓｓ　ｆｉｌｔｅｒ）６４と、それらを位置決めして支持するイメ−ジャ支持枠６３とで構成されている。
　このように構成された本レンズ鏡筒において、撮影時には上記第２群レンズ５３、第４群レンズ６０を光軸方向に進退させ、イメ−ジャ６５の結像面（光電変換面）上に被写体像を結像させ撮影を行う。
　【０００４】
　また、その他の従来例のレンズ鏡筒としては、特開平２−４６４３４号公報に開示の撮像装置の撮像光学系の構造は保持枠体にリレ−レンズ群とガイド軸とを固定し、そのガイド軸にズームレンズ群、ファインダ光学系、および、イメ−ジャを取り付けるようにしたものである。
　【０００５】
　【発明が解決しようとする課題】
　上述の図４のレンズ鏡筒において、移動枠５５，６２のガイド軸５４，６１との嵌合部分は、枠体の姿勢精度上、所定の嵌合長を必要としている。
　【０００６】
　このような枠体を単に光軸方向に配置してレンズ鏡筒を構成すると、光軸方向の寸法が大きくなり、カメラが大型化してしまう。
　【０００７】
　本発明の目的は、上述の不具合を解決するためになされたものであって、高精度化とコンパクト化を実現したカメラを提供することにある。
　【０００８】
　【課題を解決するための手段】
　本発明によるカメラは、被写体像を光電変換して撮像信号を出力するイメージャと、上記イメージャの前面側に固定された光学部材と、上記イメージャに被写体像を結像させるための
複数の
であって、上記イメージャの最も近くに設けられた第１のレンズ群及び該第１のレンズ群より前側に設けられた第２のレンズ群
各
第１及び第２の
第１のレンズ群用レンズ枠及び第２のレンズ群用
上記第２のレンズ群用レンズ枠の嵌合部が、上記ガイドメンバーに沿って上記第１のレンズ群の側面部分に進入可能であると共に、
第１のレンズ群用
　【０００９】
　【作用】
　レンズ枠の嵌合部が、ガイドメンバーに沿って光学部材の側面部分に進入可能なように構成される。
　【００１０】
　【実施例】
　以下図示の実施例に基づいて本発明を説明する。
　図１は、本発明の第１実施例を示すカメラに用いられるイメ−ジャ装着の２群ズーム式レンズ鏡筒の縦断面図である。また、図２は、イメ−ジャ支持枠のイメ−ジャ支持状態を示す断面図である。図１に示されるように、本カメラのレンズ鏡筒の主要構成は、イメ−ジャ支持体構造部と、軸部と、遮光枠部と、レンズ枠部で構成される。上記イメ−ジャ支持体構造部は、被写体像を撮像信号に変換する固体撮像素子のイメ−ジャ１を所定の位置に保持するものであって、該イメ−ジャ１はイメ−ジャ支持メンバ−であるイメ−ジャ支持枠２の所定の嵌合部２ａ，２ｂに嵌入され（図２参照）、放熱板を兼ねる取付板３により固着される。また、上記支持枠２には光学的ＬＰＦ５がイメ−ジャ１の前面に固着され、取付板３の裏面にはイメ−ジャ１の出力を取り出すためのＦＰＣ（フレキシブルプリント基板）４、または、ＰＣＢ（プリント基板）がネジ止めにより固定されている。また、イメ−ジャ支持枠２には軸部を構成する複数のガイドメンバ−である基準軸８とガイド軸９の当接凹部２ｃと所定の長さを有する嵌合穴２ｄが配設されている。
　【００１１】
　上記遮光枠部は、イメ−ジャ支持枠２にネジ止めされ、全レンズ群の光軸方向の配置領域の全域に亘って一体に延長された鏡筒構造メンバ−である遮光枠６と、該遮光枠６にネジ止めされ、上記基準軸８およびガイド軸９とを固定する軸固定板７とで構成される。軸固定枠７には基準軸８を定位置で固定するための凹部７ａを有し、また、ガイド軸９を定位置で固定するための凹部７ｂを有する。また、上記レンズ枠部は、前群レンズ１４用前群レンズ枠１２を保持する前群移動枠１０と、後群レンズ１５用後群レンズ枠１３を保持する後群移動枠１１で構成される。そして、前群移動枠１０は、そのガイド部であって所定の間隔離間した円形穴１０ａ，１０ｂが基準軸８に嵌入され、また、それに対向する切り欠き１０ｃがガイド軸９に嵌入されて光軸方向に進退可能に支持される。同様に、後群移動枠１１は、そのガイド部であって所定の間隔離間した円形穴１１ａ，１１ｂが基準軸８に嵌入され、また、それに対向する切り欠き１１ｃがガイド軸９に嵌入されて光軸方向に進退可能に支持される。
　【００１２】
　以上のように構成された本レンズ鏡筒において、撮影時には前群移動枠１０、および、後群移動枠１１を図示しない駆動装置により光軸方向に進退させ、イメ−ジャ１の結像面（光電変換面）上に被写体像を結像させ、その撮像信号をイメ−ジャ１より出力する。
　【００１３】
　上述のように本実施例のカメラにおけるレンズ鏡筒においては、前、後群移動枠１０，１１を案内する一体の基準軸８がイメ−ジャ支持枠２にガイド軸９、および、軸固定枠７を介して位置決めされ、同じく一体のガイド軸９がイメ−ジャ支持枠２に所要の保持強度で、かつ、所要の精度で嵌合穴２ｄに支持される。この支持構造によりイメ−ジャ１と、上記各軸８，９に移動枠１０，１１を介して支持される各レンズ群１４，１５との偏心，アオリなどの相対位置精度が向上する。また、このようにガイド軸９のみを比較的深い嵌合穴２ｄに嵌入して所定の強度と精度を確保しているので、他方の基準軸８には特に深い嵌合穴を必要とせず、その支持には上記凹部２ｃとする。従って、基準軸８のイメ−ジャ１側基端部（光学的ＬＰＦの側面部分）は、十分なスペ−スを取ることができる。そして、前、後群移動枠１０，１１の基準軸８側に設けられている円形穴１０ａ，１０ｂ、および、１１ａ，１１ｂは、枠体の姿勢精度上所定の嵌合長を必要とするが、その嵌合部分が上記スペ−スを利用して進入可能となり、鏡筒全体として小形化できることになる。
　【００１４】
　更に、本実施例における上記遮光枠６は、各レンズ群１４、１５に対する遮光機能を有していると同時に、鏡筒に剛性を与える部材としても働き、鏡枠の強度を増し、上記基準軸８の支持部材、更に、ガイド軸９の位置規制部材である軸固定枠７の保持部材としても機能する。このようにして、鏡筒をコンパクトにまとめること、および、構成する部品点数を削減することに寄与する。なお、上記実施例においてはガイド軸９の方をイメ−ジャ支持枠２の嵌合穴２ｄに嵌入するようにしたが、逆に基準軸８の方を該嵌合穴２ｄに嵌入するような構成にしてもよい。また、遮光枠６は上記の実施例では遮光機能および鏡筒の強度部材としての機能を有しているものであったが、必ずしも双方の機能を必要とはせず遮光機能または強度部材としての機能のいずれかの機能を持たせるだけでもよい。但し、遮光枠６が遮光機能のみを有する場合、イメ−ジャ支持枠２において基準軸８，ガイド軸９を完全に保持するような構造を採用する必要があり、例えば、基準軸８，ガイド軸９をともに所定の精度の嵌合長を有する支持穴で固定支持する等の構造を採用する必要がある。
　【００１５】
　以上のように本実施例のカメラの鏡筒は、構成する部品が少なく、従って、部品の累積による各レンズ群１４、１５のイメ−ジャ１に対する偏心や傾きなどの取り付け位置誤差が極めて少なく抑えられる。また、従来、行われていたイメ−ジャの位置調節が不要となるなど、組立工数の削減も可能となり、従って、コスト的にも有利となるものとなる。
　【００１６】
　図３は、本発明の第２実施例を示すカメラに用いられるイメ−ジャ装着のレンズ鏡筒の縦断面図である。本実施例のカメラの鏡筒は、イメ−ジャ支持枠２２にレンズ群枠駆動用や絞り駆動用のアクチュエ−タの取り付け部を設けたことを特徴とする。図３に示されるように、本レンズ鏡筒の主要構成は、イメ−ジャ支持体構造部と、軸部と、レンズ枠部とで構成される。そして、上記イメ−ジャ支持体構造部は、イメ−ジャ支持メンバ−であるイメ−ジャ支持枠２２により固体撮像素子のイメ−ジャ２１を所定の位置に保持するものであって、上記支持枠２２には光学的ＬＰＦ２３がイメ−ジャ２１の前面に固着されているものである。軸部は、上記支持枠２２にその一端が支持されるガイドメンバ−である基準軸２４、および、ガイド軸（図示せず）で構成される。また、レンズ枠部は、前群レンズ、あるいは、後群レンズをそれぞれ保持する前群移動枠２５と後群移動枠２６とで構成される。そして、各移動枠２５、２６は、そのガイド部２５ａ，２６ａが基準軸２４に案内されて光軸Ｏ方向に進退する。
　【００１７】
　そして、イメ−ジャ支持枠２２には移動枠２５，２６駆動用のアクチュエ−タ２７，２９の支持部、および、絞り駆動用アクチュエ−タ３１の支持部がそれぞれ一体的に設けられている。なお、アクチュエ−タ２７は駆動力伝達部材２８を介して移動枠２５を駆動し、アクチュエ−タ２９は駆動力伝達部材３０を介して移動枠２６を駆動する。また、アクチュエ−タ３１は駆動力伝達部材３２を介して絞り部を駆動する。
　本実施例のカメラの鏡筒は、上述のように各アクチュエ−タの取り付け部を別途に設ける必要がなく、カメラの構成部品の数を更に減じることができるものである。
　【００１８】
　なお、本発明のカメラのレンズ鏡筒は上述のように２群レンズ系のみに限らず、３群、あるいは、４群レンズのレンズ鏡筒にも適用可能なものである。また、イメ−ジャを用いたビデオカメラ、あるいは、スチルビデオカメラ等に適用できるものである。
　【００１９】
　【発明の効果】
　上述のように本発明のカメラは、レンズ枠の嵌合部がガイドメンバーに沿って光学部材の側面部分に進入可能なように構成されているので、高精度化およびコンパクト化を図ることができる。
【図面の簡単な説明】
　【図１】
　本発明の第１実施例を示すカメラに用いられるイメ−ジャ装着のレンズ鏡筒の縦断面図。
　【図２】
　上記図１のレンズ鏡筒のイメ−ジャ支持枠のイメ−ジャ支持状態を示す図。
　【図３】
　本発明の第２実施例を示すカメラに用いられるイメ−ジャ装着のレンズ鏡筒の縦断面図。
　【図４】
　従来例を示すカメラに用いられるイメ−ジャ装着の４群式ズームレンズ鏡筒の縦断面図。
　【符号の説明】
　　２，２２……………イメ−ジャ支持枠（イメ−ジャ支持メンバ−）
　　６……………………遮光枠（鏡筒構造メンバー）
　　８，２４……………基準軸（ガイドメンバ−）
　　９……………………ガイド軸（ガイドメンバ−）
　１４……………………前群レンズ群（レンズ群）
　１５……………………後群レンズ群（レンズ群）